(57)【要約】【課題】根腐れを発生させることなく、植物が好適に生育することができる鉢を提供することにある。【解決手段】花鉢１０は、鉢１０ａと、この鉢１０ａで栽培される植物５と、植物５を支持する支持棒６とを備えている。鉢１０ａは、下方に向かって縮径する平面視六角形状の鉢本体１と、通気性および排水性を有し、それぞれ植物が植えられる複数の植栽容器である素焼鉢２と、鉢本体１の内部に複数の素焼鉢２を下方に空洞部７を形成した状態で固定する固定具３とを備えている。固定具３は、素焼鉢２を嵌め入れるための開孔が形成された平板状の容器支持部１２と、開孔の内周縁に設けられ素焼鉢２を押圧して保持する複数の押圧片１３と、容器支持部１２に連設され容器支持部１２を外鉢本体１の内壁に固定する固定片１４とを備えている。【選択図】図１
2007244219.tif 000002
【特許請求の範囲】
【請求項１】
鉢本体と、
通気性および排水性を有し、それぞれ植物が植えられる複数の植栽容器と、
前記鉢本体の内部に前記複数の植栽容器を下方に空洞部を形成した状態で固定する固定具とを備えた鉢。
【請求項２】
前記植栽容器は、素焼鉢、駄温鉢、朱温鉢のいずれかである請求項１記載の鉢。
【請求項３】
前記固定具は、前記植栽容器を嵌め入れて支持する開孔が形成された容器支持部と、前記開孔の内周縁に連設され前記植栽容器を押圧して保持する複数の押圧片と、前記容器支持部に連設され該容器支持部を前記鉢本体の内壁に固定する固定部とを備えたものである請求項１または２に記載の鉢。
【請求項４】
複数の植栽容器を集合させて形成する植物が植えられた鉢の製造方法であって、
鉢本体の内壁に、前記複数の植栽容器を下方に空洞部を形成した状態で固定する固定具を装着する工程と、
それぞれ植物が植えられている前記複数の植栽容器を、前記固定具にそれぞれ固定する工程と
を含む、植物が植えられた鉢の製造方法。
【発明の詳細な説明】
【技術分野】
【０００１】
本発明は、鉢植え用の植物が植えられる植栽容器を集合させて形成した鉢および植物が植えられた鉢の製造方法に関する。
【背景技術】
【０００２】
一つの鉢の内部に同一品種または異種の観賞用花卉を寄せ集めて配置する寄せ植えが行われている。また、植物が植えられた状態の植栽容器を複数個集合させることにより、寄せ植え作業の簡略化が図られている。植物が植えられたポットなどの複数の植栽容器を集合させる場合、各植栽容器を二人の作業者がお互いの手で押さえ持って鉢本体の内部に収容する方法が採られている。しかし、この方法では、作業者が二人必要であり作業性が悪いなどの問題がある。この問題点を解決するために、植栽容器を集合させるための固定具を使用することが提案されている（例えば、特許文献１参照。）。
【０００３】
特許文献１には、植木鉢の底面から複数本の支柱を等間隔で立設し、この支柱の内周側面を中央頂部から分岐するふたつの円弧面に形成し、対向する円弧面及び底面中央に立設した円錐型突子の側面間でポット苗のポットを挟み込み、支柱の外周面を植木鉢の内周面に当接させるようにした植木鉢に複数個のポット苗を固定するための固定具が記載されている。また、固定具の底面に複数個の排水口および連結溝を設けたことが記載されている。この固定具によれば、ポットを上から挿入するだけでポットを固定することができるため、作業性を向上させてポットを集合させることが可能であり、また、水はけがよく、ポット苗が長期間痛まないとしている。
【０００４】
【特許文献１】実用新案登録第３１１７６４７号公報
【発明の開示】
【発明が解決しようとする課題】
【０００５】
しかしながら、特許文献１においては、作業性は高まるものの、固定具の底面上にポットが載置されて固定されている。このように固定されると、ポットの底面と固定具の底面とが密着するため通気量や排水量が少なくなり、灌水後には湿害となって根腐れを起こす恐れがある。また、ポットの側面の一部においても、固定具の支柱の内周側と面状で密着するため、この密着した部分の通気量や排水量が少なくなって、同様に根腐れを起こす恐れがある。また、ポットは樹脂製で通気量や排水量が少ないと推察される。
【０００６】
本発明が解決しようとする課題は、複数の植栽容器を集合させた状態でも根腐れを発生させることなく、植物が好適に生育することができる鉢および植物が植えられた鉢の製造方法を提供することにある。
【課題を解決するための手段】
【０００７】
本発明の鉢は、鉢本体と、通気性および排水性を有し、それぞれ植物が植えられる複数の植栽容器と、鉢本体の内部に複数の植栽容器を下方に空洞部を形成した状態で固定する固定具とを備えたことを特徴とする。
【０００８】
植栽容器を通気性および排水性を有するものとすることにより、植栽容器内へ空気が入り込み、また植栽容器内から余分な水を排水させることができる。そして、植栽容器を下方に空洞部を形成した状態で固定することで、植栽容器の底部は常に空気に触れることとなり、また、排水された水が植栽容器周辺に留まることがないため、植栽容器およびこの内部が過度に湿ることを防止することができる。従って、植栽容器内の培地に空気を充分含ませることが可能となり、植物の根圏環境を良好とすることができるため、植物の根腐れの発生を防止することができる。
【０００９】
また、植栽容器は、素焼鉢、駄温鉢、朱温鉢のいずれかとすれば、通気性および排水性を有することができる。ここで、素焼鉢、駄温鉢、朱温鉢について説明する。
素焼鉢は、粘土を焼成温度１０００℃以下（概ね７００℃程度）の低温で焼いて作られた鉢であり、多孔質である。鉢内部の水分の多くは鉢壁の孔から蒸散するため、優れた通気性および排水性を有する。
駄温鉢は、粘土を焼成温度１０００℃〜１３００℃程度の高温で焼いて作られた鉢であり、釉薬がかけられて形成されている。多孔質であり通気性および排水性を有するが、釉薬の影響により素焼き鉢よりも劣る。
【００１０】
朱温鉢は、粘土を焼成温度１０００℃〜１３００℃の高温で焼いて作られた鉢であり、釉薬がかけられていないものである。多孔質であり通気性および排水性を有し、釉薬がかけられていない分だけ駄温鉢よりも通気性および排水性に優れるが、素焼鉢よりも劣る。
従って、植栽容器としては、根腐れを起こしやすい植物、特に胡蝶蘭などの花卉類に対しては、素焼鉢が最適である。
【００１１】
さらに、固定具は、植栽容器を嵌め入れて支持する開孔が形成された容器支持部と、開孔の内周縁に連設され植栽容器を押圧して保持する複数の押圧片と、容器支持部に連設されこの容器支持部を鉢本体の内壁に固定する固定部とを備えたものであることを特徴とする。
上記のような構成とすることにより、植栽容器を嵌め入れて支持、固定することができるので、作業者は一人でも固定具に植栽容器を集合させることができ、作業の効率化を図ることが可能となる。
【００１２】
本発明の植物が植えられた鉢の製造方法は、複数の植栽容器を集合させて形成する植物が植えられた鉢の製造方法であって、鉢本体の内壁に、複数の植栽容器を下方に空洞部を形成した状態で固定する固定具を装着する工程と、それぞれ植物が植えられている複数の植栽容器を、固定具にそれぞれ固定する工程とを含むことを特徴とする。上記のような工程を含めば、植栽容器の底部および下部周辺は常に空気に触れることとなる。これにより、植栽容器およびこの内部が過度に湿ることを防止することができる。従って、植栽容器内の培地に空気を充分含ませることが可能となり、植物の根圏環境を良好とすることができるため、植物の根腐れの発生を防止することができる。
【発明の効果】
【００１３】
本発明の特徴は、鉢本体と、通気性および排水性を有し、それぞれ植物が植えられる複数の植栽容器と、鉢本体の内部に前記複数の植栽容器を下方に空洞部を形成した状態で固定する固定具とを備えたことにある。植栽容器を通気性および排水性を有するものとし、植栽容器の下方に空洞部を形成したことにより、植栽容器内の培地に空気を充分含ませることが可能となり、植物は根腐れを発生することなく好適に生育することができる。
【発明を実施するための最良の形態】
【００１４】
以下、図面に基づいて本発明の実施形態についての概要を説明する。図１は本発明の実施形態における植物が植えられた鉢の概要を示す断面図、図２は同鉢の固定具を示す図である。図１に示すように、本発明の実施形態における植物が植えられた鉢（以下、花鉢と称す）１０は、鉢１０ａと、この鉢１０ａで栽培される植物５と、植物５を支持する支持棒６とを備えている。鉢１０ａは、下方に向かって縮径する平面視六角形状の鉢本体１と、通気性および排水性を有し、それぞれ植物が植えられる複数の植栽容器である素焼鉢２と、鉢本体１の内部に複数の素焼鉢２を下方に空洞部７を形成した状態で固定する固定具３とを備えている。素焼鉢２は、下方に向かって縮径する平面視円状である。素焼鉢２の内部には苔類等の培地４が充填されており、培地４には植物５が支持棒６に支持されて栽培されている。素焼鉢２の下方には、空洞部７が形成されており、素焼鉢２の底部および下部は何にも接していない。
【００１５】
固定具３は、図２に示すように、素焼鉢２を嵌め入れるための開孔１１が形成された平板状の容器支持部１２と、開孔１１の内周縁に連設され素焼鉢２を押圧して保持する複数の押圧片１３と、容器支持部１２に連設され容器支持部１２を鉢本体１の内壁に固定する固定部である固定片１４とを備えたものである。容器支持部１２は、平面視六角形状であり鉢本体１の平面視六角形にほぼ水平に嵌まるように収納可能な形状である。容器支持部１２の端部である各辺には、折り曲げ線１４ａで下方に折り曲げ可能に一片ずつ、合計六片の台形形状の固定片１４が設けられている。固定片１４は、容器支持部１２の外周端部に連設された板状であり、形状は台形状である。
【００１６】
開孔１１は円形であり容器支持部１２に三カ所形成されている。開孔１１のそれぞれの円の内周縁となる折り曲げ線１１ａで下方に折り曲げ可能に一カ所の開孔につき１０片、容器支持部全体として３０片の扇形状の押圧片１３が、それぞれ等角度で同一面積となるように形成されている。押圧片１３の形状は、より詳しくは、開孔１１の周縁を円弧として形成される扇形から、開孔１１よりも小さい円弧で形成される扇形を除去した形状である。押圧片１３を下方に折り曲げることで、素焼鉢２を嵌め入れる開孔１１が形成される。
固定具３は、折り曲げて組み立て可能なダンボール製であり、押圧片１３と固定片１４とを下方へ折り曲げて使用される。この場合、折り曲げ線１１ａ，１４ａは、折り曲げの際には容器支持部１２を曲げたり傷つけたりすることなく、容易に行うために、他の部分よりも薄く形成されている。
【００１７】
次に、図３〜図５を用いて、素焼鉢２を使用した花鉢１０の製造工程について説明する。図３は固定具３を鉢本体１内に収容する前の状態を示す斜視図、図４は固定具３を鉢本体１内に収容したことを示す斜視図、図５は固定具３に素焼鉢２を固定したことを示す斜視図であり植物を省略した図である。
（１）準備工程
図３に示すように、内部に空洞を有する鉢本体１と、固定具３とを用意し、固定具３の固定片１４を折り曲げ線１４ａで折り曲げておく。
【００１８】
（２）固定具収容工程
次に、鉢本体１の内部に、固定具３を収容する。このとき、鉢本体１は下方に縮径して形成されているため、容器支持部１２の六角形状と鉢本体１の内周形状（六角形状）とが一致するときに、固定具３の容器支持部１２はほぼ水平となって鉢本体１の内壁に引っ掛かって装着される。これにより、固定具３の下方には空洞部７が形成される。そして、固定片１４が鉢本体１の内壁に面状で接することとなり（図１参照）、固定具３は鉢本体１内で固定された状態となる。ここで、押圧片１３を下方に折り曲げておくと良い。
【００１９】
（３）植栽容器収容工程
容器支持部１２の開孔１１に、植物５である胡蝶蘭が植えられた三個の素焼鉢２（図１，図５参照）を嵌め入れて固定する。この場合、素焼鉢２の底部で押圧片１３を下方へ押して折り曲げながら挿入することもできる。素焼鉢２は、前述したように、平面視円形状で下方に向かって縮径しているため、開孔１１の径と素焼鉢２の外周径とが一致するときに、素焼鉢２は引っ掛かって固定される。そして、押圧片１３は、素焼鉢２の側部に面状で接して、素焼鉢２をずれないように押圧しながらその状態を保持して固定する。
【００２０】
以上のように、鉢本体１の内部に植栽容器を集合させることにより、素焼鉢２の下方に空洞部７を備えた花鉢１０となり、素焼鉢２の底部および下部周辺は常に空気に触れる状態とすることができる。また、排水された水が素焼鉢２周辺に留まることがないため、素焼鉢２およびこの内部が過度に湿ることを防止することができる。従って、素焼鉢２内の培地４に空気を充分含ませることが可能となり、植物５の根圏環境を良好とすることができ、根腐れの発生を防止することができる。
【００２１】
植物５としては、本実施形態においては、胡蝶蘭を用いているが、根腐れしやすい花卉類等にも適しており、野菜類、果菜類にも適用することができる。また、栽培状況や対象植物によっては、植栽容器として素焼鉢の他に、駄温鉢や朱温鉢を使用することもできる。なお、鉢本体１内であって固定具３上には、ちいさな草花を植栽した小型ポットや、装飾品等を載置することも可能であり、見栄えの良い花鉢１０とすることができる。
【００２２】
また、固定片１４は、素焼鉢２を容器支持部１２に支持させて固定すると容器支持部１２の端部には荷重がかかることとなるが、固定片１４が補強部材としても機能し、充分な強度を確保することができる。さらに、押圧片１３も、開孔１１周辺を補強する補強部材として機能し、段ボールを使用しながらも、素焼鉢２を支持するのに充分な強度を確保することができる。また、固定具３は、押圧片１３および固定片１４を折り曲げるだけで使用できるので、一人でも素焼鉢２を集合させることができ、作業性に優れる。
【００２３】
なお、本実施形態においては、鉢本体１の平面視と、固定具３の容器支持部１２の平面視を六角形状としたが、垂直断面が下方に縮径する形状であれば、他の多角形状や円状としても良い。この場合、固定片１４の数は、容器支持部１２の平面視形状によって適宜変更することができる。また、開孔１１および素焼鉢２の平面視形状は、円状に限定されることなく、嵌めることができれば矩形状など他の形状としても良い。鉢本体１の材質は特に限定されないが、素焼鉢とすれば、さらに通気性を高めることが可能となる。また、容器支持部１２の開孔１１の数および素焼鉢２の数は三つに限定されることなく、適宜設計変更できる。
【００２４】
次に、図６に基づいて本発明の他の実施の形態についての概要を説明する。図６は本発明の他の実施形態における鉢の概要を示す断面図である。本発明の他の実施形態における鉢２０ａは、鉢本体１内の底面に、素焼鉢２を載置するための棚部２１を備えている。花鉢２０は、鉢２０ａと、この鉢２０ａで栽培される植物５と、植物５を支持する支持棒６とを備えている。その他の部分の構造、機能などは図１などで示した鉢１０ａと同様であるため、図１などと同じ符号を付して説明を省略する。
【００２５】
棚部２１は、素焼製で通気性や排水性に優れるものであり、この棚部２１の少なくとも一部には、素焼鉢２を載置するための平坦部２１ａが形成されている。そして棚部２１は、空洞部７に設けられているが、素焼鉢２の通気性や排水性を阻害せず、空洞部７の機能を充分確保するように設けられている。なお、棚部２１の材質は素焼製に限定されるものではなく、金網等の空気が移動しやすい材質のものを使用しても良い。棚部２１は、固定具３の負担を軽減することができるため、鉢本体１がさらに大きかったり、素焼鉢２の数をさらに増やしたりして、固定具３への負荷が増大する場合などには有効である。
【産業上の利用可能性】
【００２６】
本発明は、鉢植え用の植物、特に根腐れを起こしやすい花卉類が植えられる植栽容器を集合させて形成した鉢および植物が植えられた鉢として、広く利用することができる。
【図面の簡単な説明】
【００２７】
【図１】本発明の実施形態における植物が植えられた鉢（花鉢）の概要を示す断面図である。
【図２】本発明の実施形態における花鉢の固定具を示す図である。
【図３】固定具を鉢本体内に収容する前の状態を示す斜視図である。
【図４】固定具を鉢本体内に収容したことを示す斜視図である。
【図５】固定具に素焼鉢を固定したことを示す斜視図であり植物を省略した図である。
【図６】本発明の他の実施形態における花鉢の概要を示す断面図である。
【符号の説明】
【００２８】
１０，２０  植物が植えられた鉢（花鉢）
１０ａ，２０ａ  鉢
１  鉢本体
２  素焼鉢
３  固定具
４  培地
５  植物
６  支持棒
７  空洞部
１１  開孔
１１ａ  折り曲げ線
１２  容器支持部
１３  押圧片
１４  固定片
１４ａ  折り曲げ線
２１  棚部
２１ａ  平坦部
【図１】
2007244219.tif 000003
【図２】
2007244219.tif 000004
【図３】
2007244219.tif 000005
【図４】
2007244219.tif 000006
【図５】
2007244219.tif 000007
【図６】
2007244219.tif 000008